(57)【要約】【課題】動画像の撮影を開始してから所定時間が経過すると表示部を消灯状態としつつも、リモートコマンダからのコマンドを受け付けて実行し、撮影した動画像を外部装置に出力できるようにする。【解決手段】ユーザの操作内容に応じたコマンドを出力する操作部が操作されて、動画像を記録媒体に記録させるコマンドが出力された場合、動画像の記録が開始され、表示部が、画像を表示しない消灯状態に制御される。本開示は、撮像装置に適用することができる。【選択図】図５
2018067885.tif 000002
【特許請求の範囲】
【請求項１】
画像を撮像する撮像部と、
ユーザの操作を受け付けて、受け付けた操作内容に応じた動作を指示する操作部と、
撮像された前記画像の表示を制御する表示制御部と、
前記表示制御部は、所定動作の開始後、前記操作部に対する操作を検出しない状態で所定時間経過した場合、前記画像の表示を表示状態から消灯状態に制御する
撮像装置。
【請求項２】
前記表示制御部は、前記所定動作としての録画動作の開始後、前記操作部に対する操作を受け付けない状態で所定時間経過した場合、前記画像の表示を表示状態から前記消灯状態に制御する
請求項１に記載の撮像装置。
【請求項３】
前記表示制御部は、前記画像を表示する前記表示状態から前記画像の表示を消灯する消灯状態に制御した後、前記録画動作が停止した場合、前記画像の表示を前記消灯状態から前記表示状態に制御する
請求項２に記載の撮像装置。
【請求項４】
前記表示制御部は、前記画像の表示を表示状態から消灯状態に制御した後、前記操作部により操作が受け付けられた場合、前記画像の表示を前記消灯状態から前記表示状態に制御する
請求項３に記載の撮像装置。
【請求項５】
装置本体の外部であって、ユーザの操作を受け付けて、受け付けた操作内容に応じた指示を信号として送信する遠隔操作部からの前記信号を受信する受信部をさらに含み、
前記表示制御部は、前記所定動作としての録画動作の開始後、前記操作部に対する操作を受け付けない状態で、かつ、前記受信部を介して、前記遠隔操作部からの前記信号を受信しない状態で所定時間経過した場合、前記画像の表示を表示状態から前記消灯状態に制御する
請求項２に記載の撮像装置。
【請求項６】
前記表示制御部は、前記画像の表示を表示状態から消灯状態に制御した後、前記受信部を介して、前記遠隔操作部からの信号を受信した場合でも、前記消灯状態を維持するように制御する
請求項５に記載の撮像装置。
【請求項７】
前記受信部は、前記遠隔操作部としてのリモートコマンダまたはスマートフォンに対する前記ユーザの操作内容に応じた、前記リモートコマンダまたは前記スマートフォンからの指示を受信する
請求項５に記載の撮像装置。
【請求項８】
前記撮像部により撮像された画像を外部に接続された外部機器に常時出力する入出力部をさらに含む
請求項２に記載の撮像装置。
【請求項９】
前記入出力部は、前記外部機器の外部であって、ユーザの操作を受け付けて、受け付けた操作内容に応じた指示を信号として送信する遠隔操作部からの信号の、前記外部機器を介した入力を受け付け、
前記表示制御部は、所定動作の開始後、前記操作部に対する操作を受け付けない状態で、かつ、前記入出力部を介して、前記遠隔操作部に対する操作を受け付けない状態で所定時間経過した場合、前記画像の表示を表示状態から消灯状態に制御する
請求項８に記載の撮像装置。
【請求項１０】
前記表示制御部は、前記画像の表示を表示状態から消灯状態に制御した後、前記入出力部を介して、前記遠隔操作部からの信号を受け付けても、前記消灯状態を維持するように制御する
請求項９に記載の撮像装置。
【請求項１１】
前記外部機器は、前記撮像部により撮像された画像を表示する表示装置である
請求項８に記載の撮像装置。
【請求項１２】
前記所定動作は、録画動作、電源オン動作、または、各種の設定動作である
請求項１に記載の撮像装置。
【請求項１３】
異常の発生を検出する異常検出部をさらに含み、
前記異常検出部により異常が検出される場合、前記表示制御部は、前記画像の表示を前記表示状態に制御する
請求項１に記載の撮像装置。
【請求項１４】
前記撮像部の撮像に係る設定をする設定部をさらに含み、
前記設定部により前記撮像部の撮像に係る設定が完了している条件下で、前記表示制御部は、所定動作の開始後、前記操作部に対する操作を受け付けない状態で所定時間経過した場合、前記画像の表示を表示状態から消灯状態に制御する
請求項１に記載の撮像装置。
【請求項１５】
画像を撮像し、
ユーザの操作を受け付けて、受け付けた操作内容に応じた動作を指示し、
撮像された前記画像の表示を制御するステップを含み、
所定動作の開始後、前記操作部に対する操作を検出しない状態で所定時間経過した場合、前記画像の表示を表示状態から消灯状態に制御する
撮像方法。
【請求項１６】
画像を撮像する撮像部と、
ユーザの操作を受け付けて、受け付けた操作内容に応じた動作を指示する操作部と、
撮像された前記画像の表示を制御する表示制御部としてコンピュータを機能させるためのプログラムであって、
前記表示制御部は、所定動作の開始後、前記操作部に対する操作を検出しない状態で所定時間経過した場合、前記画像の表示を表示状態から消灯状態に制御する
プログラム。
【発明の詳細な説明】
【技術分野】
【０００１】
本開示は、撮像装置、および撮像方法、並びにプログラムに関し、特に、画像の録画が開始された後、所定時間が経過すると表示部を消灯状態にし、リモートコマンダからのコマンドを受け付けても消灯状態を維持し、本体の操作部が操作されるときにのみ表示部を表示状態に復帰させるようにした撮像装置、および撮像方法、並びにプログラムに関する。
【背景技術】
【０００２】
近年の撮像装置には、プレビュ画像や撮像中の画像を表示する表示部が、撮像装置の本体に設けられている。ユーザは、この表示部に表示されたプレビュ画像や撮像中の画像を見ながら、撮像装置本体の向きを変えて、撮像しようとする画角を調整する。
【０００３】
しかしながら、撮像した画像を長時間に渡って録画するような場合、頻繁に視聴されることのない表示部の表示状態が継続されると、表示部のバックライト等により、不要な電力消費の増大を招く。
【０００４】
そこで、露光時間が長い長時間撮影モードであるときには、表示部を消灯させ、消費電力を低減させる撮影装置が提案されている（特許文献１参照）。
【先行技術文献】
【特許文献】
【０００５】
【特許文献１】特開２０１５−２２２８７９号公報
【発明の概要】
【発明が解決しようとする課題】
【０００６】
しかしながら、上述した特許文献１に記載の撮影装置では、表示部を消灯させた状態で、リモートコントローラからのコマンドを受け付けて、コマンドを実行することや、動画像を撮影しているときに、撮影している動画像を外部装置に出力することができなかった。
【０００７】
本開示は、このような状況に鑑みてなされたものであり、特に、動画像の撮影を開始してから所定時間が経過すると表示部を消灯状態としつつも、リモートコマンダからのコマンドを受け付けて実行し、撮影した動画像を外部装置に出力できるようにするものである。
【課題を解決するための手段】
【０００８】
本開示の一側面の撮像装置は、画像を撮像する撮像部と、ユーザの操作を受け付けて、受け付けた操作内容に応じた動作を指示する操作部と、撮像された前記画像の表示を制御する表示制御部と、前記表示制御部は、所定動作の開始後、前記操作部に対する操作を検出しない状態で所定時間経過した場合、前記画像の表示を表示状態から消灯状態に制御する撮像装置である。
【０００９】
前記表示制御部には、前記所定動作としての録画動作の開始後、前記操作部に対する操作を受け付けない状態で所定時間経過した場合、前記画像の表示を表示状態から前記消灯状態に制御させるようにすることができる。
【００１０】
前記表示制御部には、前記画像を表示する前記表示状態から前記画像の表示を消灯する消灯状態に制御した後、前記録画動作が停止した場合、前記画像の表示を前記消灯状態から前記表示状態に制御させるようにすることができる。
【００１１】
前記表示制御部には、前記画像の表示を表示状態から消灯状態に制御した後、前記操作部により操作が受け付けられた場合、前記画像の表示を前記消灯状態から前記表示状態に制御させるようにすることができる。
【００１２】
装置本体の外部であって、ユーザの操作を受け付けて、受け付けた操作内容に応じた指示を信号として送信する遠隔操作部からの前記信号を受信する受信部をさらに含ませるようにすることができ、前記表示制御部には、前記所定動作としての録画動作の開始後、前記操作部に対する操作を受け付けない状態で、かつ、前記受信部を介して、前記遠隔操作部からの前記信号を受信しない状態で所定時間経過した場合、前記画像の表示を表示状態から前記消灯状態に制御させるようにすることができる。
【００１３】
前記表示制御部には、前記画像の表示を表示状態から消灯状態に制御した後、前記受信部を介して、前記遠隔操作部からの信号を受信した場合でも、前記消灯状態を維持するように制御させるようにすることができる。
【００１４】
前記受信部には、前記遠隔操作部としてのリモートコマンダまたはスマートフォンに対する前記ユーザの操作内容に応じた、前記リモートコマンダまたは前記スマートフォンからの指示を受信させるようにすることができる。
【００１５】
前記撮像部により撮像された画像を外部に接続された外部機器に常時出力する入出力部をさらに含ませるようにすることができる。
【００１６】
前記入出力部には、前記外部機器の外部であって、ユーザの操作を受け付けて、受け付けた操作内容に応じた指示を信号として送信する遠隔操作部からの信号の、前記外部機器を介した入力を受け付けさせるようにすることができ、前記表示制御部には、所定動作の開始後、前記操作部に対する操作を受け付けない状態で、かつ、前記入出力部を介して、前記遠隔操作部に対する操作を受け付けない状態で所定時間経過した場合、前記画像の表示を表示状態から消灯状態に制御させるようにすることができる。
【００１７】
前記表示制御部には、前記画像の表示を表示状態から消灯状態に制御した後、前記入出力部を介して、前記遠隔操作部からの信号を受け付けても、前記消灯状態を維持するように制御させるようにすることができる。
【００１８】
前記外部機器は、前記撮像部により撮像された画像を表示する表示装置とすることができる。
【００１９】
前記所定動作は、録画動作、電源オン動作、または、各種の設定動作とすることができる。
【００２０】
異常の発生を検出する異常検出部をさらに含ませるようにすることができ、前記異常検出部により異常が検出される場合、前記表示制御部には、前記画像の表示を前記表示状態に制御させるようにすることができる。
【００２１】
前記撮像部の撮像に係る設定をする設定部をさらに含ませるようにすることができ、前記設定部により前記撮像部の撮像に係る設定が完了している条件下で、前記表示制御部には、所定動作の開始後、前記操作部に対する操作を受け付けない状態で所定時間経過した場合、前記画像の表示を表示状態から消灯状態に制御させるようにすることができる。
【００２２】
本開示の一側面の撮像方法は、画像を撮像し、ユーザの操作を受け付けて、受け付けた操作内容に応じた動作を指示し、撮像された前記画像の表示を制御するステップを含み、所定動作の開始後、前記操作部に対する操作を検出しない状態で所定時間経過した場合、前記画像の表示を表示状態から消灯状態に制御する撮像方法である。
【００２３】
本開示の一側面のプログラムは、画像を撮像する撮像部と、ユーザの操作を受け付けて、受け付けた操作内容に応じた動作を指示する操作部と、撮像された前記画像の表示を制御する表示制御部としてコンピュータを機能させるためのプログラムであって、前記表示制御部は、所定動作の開始後、前記操作部に対する操作を検出しない状態で所定時間経過した場合、前記画像の表示を表示状態から消灯状態に制御するプログラムである。
【００２４】
本開示の一側面においては、画像が撮像され、ユーザの操作が受け付けられて、受け付けられた操作内容に応じた動作が指示され、撮像された前記画像の表示が制御され、所定動作の開始後、前記操作部に対する操作を検出しない状態で所定時間経過した場合、前記画像の表示が表示状態から消灯状態に制御される。
【発明の効果】
【００２５】
本開示の一側面によれば、動画像の撮影を開始してから所定時間が経過すると表示部を消灯状態すると共に、リモートコマンダからのコマンドを受け付けて実行し、さらに、撮影した動画像を外部装置に出力することが可能となる。
【図面の簡単な説明】
【００２６】
【図１】本開示の技術を適用した撮像装置の外観の正面図である。
【図２】本開示の技術を適用した撮像装置の外観の上面図である。
【図３】本開示の技術を適用した撮像装置の外観の裏面図である。
【図４】本開示の技術を適用した撮像装置の外観の底面図である。
【図５】図１乃至図４の撮像装置を実現する機能的な構成例を説明する図である。
【図６】図５の撮像装置による撮像処理を説明するフローチャートである。
【図７】図５の撮像装置による撮像処理を説明するフローチャートである。
【図８】図５の撮像装置による撮像処理を説明する図である。
【図９】汎用のパーソナルコンピュータの構成例を説明する図である。
【発明を実施するための形態】
【００２７】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００２８】
＜撮像装置の外観構成例＞
本開示の撮像装置は、動画像を撮像し、さらに、撮像した画像を録画する場合、表示部を消灯状態にさせると共に、表示部を消灯状態としたまま、リモートコマンダ等の外部操作装置においてユーザの操作が検出されることにより、操作内容に対応するコマンドが送信されてくると、コマンドを受け付けて、コマンドを実行することができる。また、本開示の撮像装置は、装置本体に設けられた表示部を消灯状態としたまま、撮影した動画像を外部装置である表示装置に出力して表示させることができる。本開示の撮像装置を説明するにあたって、まず、図１乃至図４を参照して、本技術を適用した撮像装置の外観の構成例について説明する。
【００２９】
図１は、撮像装置の外観の正面図を示している。
【００３０】
撮像装置１１は、例えば、デジタルカメラなどからなり、撮影者であるユーザが手で撮像装置１１を持って撮影を行うことができるだけでなく、撮像装置１１を自転車や天井、壁などに固定して撮影を行うこともできるようになされている。
【００３１】
撮像装置１１の正面には、被写体からの光を図示せぬ撮像素子へと導くレンズ２１が設けられている。また、撮像装置１１の正面部分におけるレンズ２１の図中、下側には動画像撮影時に周囲の音を収音するマイクロホンからなる収音部２２−１および収音部２２−２が設けられている。基本的には収音部２２−１により収音された音が右チャンネルの音声とされ、収音部２２−２により収音された音が左チャンネルの音声とされる。
【００３２】
なお、以下、収音部２２−１および収音部２２−２を特に区別する必要のない場合、単に収音部２２とも称する。
【００３３】
撮像装置１１の正面部分の図中、左上にはタリーランプ２３が設けられている。このタリーランプ２３は、撮像装置１１による動画像の撮影中に点灯し、動画像の撮影が行われていない状態では消灯するようになされている。
【００３４】
また、通常、撮像装置１１により動画像や静止画像を撮影するときには、矢印Ａ１１に示す上面が鉛直方向上側に向けられた状態で、つまり矢印Ａ１２に示す底面が地面に向けられた状態で撮影が行われる。
【００３５】
そのため、撮像装置１１の上面には、例えば図２に示すように電源ボタン４１やシャッタボタン４２、音声出力部４３などが設けられている。なお、図２は、撮像装置１１を図１中、上側から下方向に見た上面図を示している。
【００３６】
電源ボタン４１は、撮像装置１１の電源をオンまたはオフさせるときに操作されるボタンであり、シャッタボタン４２は、静止画像を撮影するときや、動画像の撮影を開始するとき、動画像の撮影を停止するときなどに操作される。
【００３７】
音声出力部４３は、例えばスピーカなどからなり、動画像の再生時に動画像の音声を再生する。
【００３８】
また、撮像装置１１における図１に示した正面とは反対側の面、すなわち撮像装置１１の裏面には、例えば図３の右部に示すように各種のボタン等が設けられている。なお、図３の右部では、撮像装置１１の図３の右部の上側が上面側となっており、撮像装置１１の図３の右部の下側が底面側となっている。
【００３９】
撮像装置１１の裏面には、例えばLCD（Liquid Crystal Display）などからなり、各種の画像を表示する表示部６１が設けられている。
【００４０】
また、表示部６１の周囲にはタリーランプ６２、コントロールホイール６３、メニューボタン６４、および削除ボタン６５が設けられている。
【００４１】
タリーランプ６２は、撮像装置１１の正面に設けられたタリーランプ２３と同様に、動画像の撮影中に点灯し、動画像の撮影が行われていない状態では消灯する。
【００４２】
コントロールホイール６３は、表示部６１に表示されている画像やメニュー画面等に対する操作を行なうときに操作される。
【００４３】
より詳細には、コントロールホイール６３は、円盤状の本体を中心として図中の矢印方向に回転させることができ、回転に応じて、例えばメニュー画面においてカーソル等を上下左右に移動させるときや、撮影により得られた画像の上下左右の領域を表示させるためのスクロール操作を行うときなどに操作される。
【００４４】
また、コントロールホイール６３は、図中の点線で示される三角印のそれぞれにおいて、押圧操作を受け付けるボタン６３ａ乃至６３ｄとして機能し、カーソル移動や画像のスクロール操作における上下左右方向へ操作を受け付ける。
【００４５】
また、ボタン６３ａ乃至６３ｄには、各種の設定を実現するための機能を割り付けるようにしてもよい。例えば、ボタン６３ａには、画面表示切り替え機能が割り付けられるようにしてもよい。また、ボタン６３ｂには、露出補正を設定するための機能が割り付けられるようにしてもよい。さらに、ボタン６３ｃには、ドライブモードを設定するための機能が割り付けられてもよい。また、ボタン６３ｄには、フラッシュモードを設定するための機能が割り付けられてもよい。
【００４６】
コントロールホイール６３の中央部には、押圧操作を受け付けるボタン６３ｅが設けられており、メニュー画面等が表示されている状態において、選択を決定させるためのエンターキー（決定ボタン）として機能する。
【００４７】
メニューボタン６４は、各種のメニュー画面を表示させるとき操作される。
【００４８】
削除ボタン６５は、表示部６１に表示されている画像を削除するとき操作されるボタンである。
【００４９】
さらに、図３の左部で示されるように、撮像装置１１の裏面から見て左側の本体側面Ｑ１１には図示せぬカバーが取り付けられており、図示せぬロックボタンを操作することで図示せぬカバーを撮像装置１１から取り外すことができる。
【００５０】
撮像装置１１本体の側面における図示せぬカバーの下側には、図３の左部における本体側面Ｑ１１に示すように各種の端子やスロットが設けられている。ここで、図３の左部は、本体側面Ｑ１１の図示せぬカバーが取り外された状態を示している。
【００５１】
この例では、撮像装置１１の本体側面Ｑ１１における図示せぬカバー下には、外部との接続のための入出力端子としてHDMI（登録商標）（High-Definition Multimedia Interface）の端子７０およびUSB（登録商標）（Universal Serial Bus）の端子７１が設けられている。
【００５２】
また、撮像装置１１の本体側面Ｑ１１における図示せぬカバー下には、マイクロホンを取り付けるための端子７２や、撮像装置１１に着脱可能なリムーバブル記録媒体の挿入口であるスロット７３、およびリムーバブル記録媒体に対するアクセス等を通知するためのメディアアクセスランプ７４が設けられている。
【００５３】
さらに撮像装置１１の底面には、例えば図４に示すように撮像装置１１を三脚等に固定するための固定部であるソケット９１が設けられている。このソケット９１を利用して撮像装置１１を天井や壁などに固定すれば、撮像装置１１を逆さにした状態や９０度回転させた状態で撮影等を行うことができる。
【００５４】
＜撮像装置の機能的構成例＞
次に、図５を参照して、撮像装置１１の機能的な構成例について説明する。
【００５５】
図５は、撮像装置１１の機能的な構成例を示す図である。なお、図５において図１乃至図４における場合と対応する部分には同一の符号を付してあり、その説明は適宜省略する。
【００５６】
図５に示す例では、遠隔操作器１２１により撮像装置１１の遠隔操作が可能となっており、撮像装置１１にはディスプレイ付きのレコーダや、ディスプレイなどの外部機器１２２が、例えば、上述したHDMIの端子７０やUSBの端子７１等に、HDMIケーブルやUSBケーブルを用いることで、接続可能とされている。以下では、外部機器１２２がディスプレイ等からなる表示装置であるものとして説明を続ける。また、外部機器１２２専用の外部機器用遠隔操作器１２３によって、外部機器１２２および撮像装置１１を遠隔操作することが可能となっている。尚、以下、外部機器１２２は、表示装置１２２とも称するものとする。また、外部機器用遠隔操作器１２３は、撮像装置１１に対するコマンドの送信元である点において、遠隔操作器１２１と特に区別する必要がない場合、単に、遠隔操作器１２３と称するものとする。
【００５７】
撮像装置１１は、撮像部１３１、収音部２２、操作部１３２、制御部１３３、リムーバブル記録媒体１３４、音声出力部４３、表示部６１、通信部１３５、入出力端子１３６、およびバッテリ１３７を有している。
【００５８】
撮像部１３１は、図１に示したレンズ２１や撮像素子などからなり、制御部１３３の制御に従って被写体からの光を受光して光電変換することにより画像を撮像し、得られた画像の画像データを制御部１３３に供給する。なお、以下では撮像部１３１で得られた画像を特に撮影画像とも称することとする。
【００５９】
収音部２２は、制御部１３３の制御に従って周囲の音声を収音し、その結果得られた収音音声の音声データを制御部１３３に供給する。
【００６０】
操作部１３２は、例えば図２に示した電源ボタン４１やシャッタボタン４２、図３に示した上コントロールホイール６３（ボタン６３ａ乃至ボタン６３ｅを含む）、メニューボタン６４、削除ボタン６５、表示部６１に重畳して設けられたタッチパネルなどからなり、ユーザの操作を検知し、受け付けて、操作内容に応じたコマンドに対応する信号を制御部１３３に供給する。換言すれば、操作部１３２は、ユーザの操作を受け付けて、受け付けた操作内容に応じた動作を実行させるように制御部１３３に指示を示す信号を出力する。
【００６１】
制御部１３３は、バッテリ１３７より供給される電力により駆動し、撮像装置１１全体の動作を制御する。制御部１３３は、設定部１５１、OSD（On Screen Display）画像生成部１５２、表示制御部１５３、および記録制御部１５４を有している。
【００６２】
設定部１５１は操作部１３２からの信号に応じて各種の設定を行う。OSD画像生成部１５２はOSD画像を生成する。
【００６３】
OSD画像は、例えば撮影モードを示すマークや、バッテリの残量を示す画像、ホワイトバランス設定を示すマークなどの各種の設定や撮像装置１１に関する状態等を示すマークや画像を表示する画像である。例えば、制御部１３３は、バッテリ１３７の残電圧などから残量を算出し、OSD画像生成部１５２に供給してバッテリ１３７の残量を示すOSD画像や、残量が所定値よりも少ない場合には、残量が少ないことを示す警告画像としてのOSD画像を生成させる。制御部１３３は、この他にもオーバーヒートなど、異常を検出して、異常に対する警告画像をOSD画像生成部１５２に生成させる。
【００６４】
表示制御部１５３は、表示部６１や外部機器１２２における各種の画像の表示を制御する。記録制御部１５４は撮影により得られた画像データや、収音により得られた音声データのリムーバブル記録媒体１３４や外部機器１２２への記録を制御する。
【００６５】
リムーバブル記録媒体１３４は、撮像装置１１に着脱可能な記録媒体であり、図３に示したスロット７３に挿入されると撮像装置１１に装着された状態となる。リムーバブル記録媒体１３４は、制御部１３３から供給された画像データや音声データを記録するとともに、必要に応じて記録している画像データや音声データを制御部１３３に供給する。
【００６６】
通信部１３５は、無線または有線の通信により遠隔操作器１２１から送信されてきたコマンドを受信して制御部１３３に供給する。
【００６７】
遠隔操作器１２１は、例えば、赤外線等による無線通信や端子７１等を介した有線の通信によりコマンドを送信する、撮像装置１１専用または汎用のリモートコマンダであるが、その他、リモートコマンドとしての機能に対応するアプリケーションソフトをインストールするなどしてスマートフォンなどにより実現されるようにしてもよい。
【００６８】
入出力端子１３６は、例えば、図３に示した端子７０や端子７１などからなり、外部機器１２２との間で通信を行うための入出力部である。
【００６９】
例えば入出力端子１３６は、制御部１３３から供給された画像データや音声データを外部機器１２２に出力したり、外部機器１２２から供給されたコマンド等を制御部１３３に出力したりする。
【００７０】
ここで、操作部１３２が操作されて、動画像の撮影が指示されたときの動作について説明する。
【００７１】
表示制御部１５３は、動画像の録画を開始してから所定の時間が経過すると、表示部６１の表示を停止して消灯状態とし、操作部１３２により何らかの操作がなされると、表示部６１の表示を復帰させる（表示状態にする）。この際、動画像の録画が開始されてから所定の時間が経過して、表示部６１の表示が消灯状態にされた後において、遠隔操作器１２１または１２３よりコマンドが入力されるとき、制御部１３３は、コマンドに応じた処理を実行するが、表示制御部１５３は、表示部６１の消灯状態を維持する。ただし、動画像の録画が停止された場合については、表示部１５３は、表示部６１を表示状態に復帰させる。
【００７２】
また、動画像の録画が開始されると、記録制御部１５４は、撮像部１３１により撮影された動画像の画像データや、収音により得られた音声データを、入出力端子１３６より外部機器である表示装置１２２に出力して、表示装置１２２に表示させると共に、リムーバブル記録媒体１３４や外部機器１２２に記録させる。このとき、表示制御部１５３により表示部６１の表示が消灯状態であっても、記録制御部１５４は、外部機器である表示装置１２２への出力を継続し、表示を継続する。
【００７３】
このような動作により、動画像を録画する際には、動画像の撮影が開始されてから所定時間が経過した後に、表示部６１が消灯状態となることで、撮影時に頻繁に視聴されることがない表示部６１による消費電力を低減させることが可能となる。また、例えば、暗いホールなどで、ステージ上を撮影するような場合、表示部６１が表示状態であると、周囲に目障りな光を発する恐れがあるが、動画像の録画が開始されて所定時間が経過すると表示部６１が消灯されることにより、表示部６１からの目障りな光の発生を抑制することが可能となる。
【００７４】
＜図５の撮像装置による撮像処理＞
次に、図６，図７のフローチャートを参照して、図５の撮像装置１１による動画像の撮像処理について説明する。
【００７５】
ステップＳ１１（図７）において、電源がオンにされて、撮像装置１１が起動すると、表示制御部１５３は、表示部６１をオンにして表示できる状態（表示状態）にして各種の処理に応じた情報を表示する。
【００７６】
ステップＳ１２において、設定部１５１は、初期設定が完了しているか否かを判定し、初期設定が完了していない場合、処理は、ステップＳ１３に進む。
【００７７】
ステップＳ１３において、OSD画像生成部１５２は、初期設定が完了しておらず、初期設定が必要であることを示し、初期設定を促す情報を表示部６１に表示する。
【００７８】
ステップＳ１４において、設定部１５１は、操作部１３２が操作されて、初期設定の入力を要求する動作がなされたか否かを判定し、初期設定の入力を要求する動作がない場合、処理は、ステップＳ１２に戻る。すなわち、初期設定がなされるまで、ステップＳ１２乃至Ｓ１４の処理が繰り返される。そして、ステップＳ１４において、初期設定の入力を要求する動作がなされた場合、処理は、ステップＳ１５に進む。
【００７９】
ステップＳ１５において、OSD画像生成部１５２は、操作部１３２の操作内容に応じで、各種の初期設定の入力を受け付ける画像を表示する。このとき、設定部１５１は、操作部１３２の操作内容に応じて、初期設定の入力を受け付けて、記憶し、処理は、ステップＳ１１に戻る。ここでいう、初期設定は、例えば、撮像部１３１の本体の上面、底面、および側面のいずれが鉛直方向上側に向けられた状態で撮影されるかといった設定などである。
【００８０】
上述した一連の処理により、初期設定がなされると、ステップＳ１２において、初期設定が完了しているものとみなされて、処理は、ステップＳ１６に進む。尚、製造時にいずれかの初期設定がなされた状態で出荷するようにして、ユーザによる初期設定を不要な状態にしてもよく、この場合、ステップＳ１２乃至Ｓ１５の処理は、省略するようにしてもよい。
【００８１】
ステップＳ１６において、撮像部１３１は、レンズ２１を介して入射する被写体からの光に基づいて画像を撮影して、制御部１３３に供給する。
【００８２】
ステップＳ１７において、記録制御部１５４は、撮像部１３１により撮影された動画像の画像データや、収音により得られた音声データを、入出力端子１３６より外部機器である表示装置１２２に出力して、表示装置１２２に表示させる。
【００８３】
この処理により、図８の左部で示されるように、表示部６１が表示状態にされるので、撮像部１３１により撮影された画像が、表示部６１に表示される。このとき、外部機器である表示装置１２２には、記録制御部１５４より供給される、撮像部１３１により撮影された画像が表示される。
【００８４】
ステップＳ１８において、表示制御部１５３は、操作部１３２、または、遠隔操作器１２１，１２３のいずれかにより、録画が指示されて、撮影された画像データが録画中であるか否かを判定する。例えば、最初の処理であり、録画の指示がなされていない場合、すなわち、録画中ではないものとみなされた場合、処理は、ステップＳ２８に進む。
【００８５】
ステップＳ２８において、表示制御部１５３は、操作部１３２が操作されたか否か、すなわち、操作により何らかのコマンドが入力されたか否かを判定し、操作部１３２の操作が検出されることによる操作部１３２からのコマンドがある場合、処理は、ステップＳ２９に進む。
【００８６】
ステップＳ２９において、制御部１３３は、操作部１３２が操作されることにより入力されたコマンドに対応する処理を実行し、後述する停止カウンタを０にリセットする。ここで、例えば、録画を指示するコマンドが入力された場合には、制御記録制御部１５４が、撮像部１３１により撮影された画像データの録画を開始する。
【００８７】
録画が開始されると、制御部１３３は、図８の左部における消灯状態のタリーランプ６２を、図８の中央部における点灯状態のタリーランプ６２’となるように制御する。尚、図１のタリーランプ２３についても、タリーランプ６２と同様に制御され、録画中においては、点灯状態とされる。
【００８８】
ステップＳ３０（図７）において、表示制御部１５３は、表示部６１をオンにして表示状態とし、処理は、ステップＳ２５に進む。例えば、最初の処理である場合、表示部６１はオンにされており、表示状態とされているので、表示状態が維持されることになる。
【００８９】
この処理により、図８の中央部で示されるように、表示部６１が表示状態にされて、撮像部１３１により撮影された画像が、表示部６１に表示される。また、このとき記録制御部１５４は、撮像部１３１により撮影された画像を、外部機器である表示装置１２２に供給し続けているので、表示装置１２２は、記録制御部１５４より供給される、撮像部１３１により撮影された画像を表示する。さらに、タリーランプ６２は、図８のタリーランプ６２’で示されるように点灯状態に制御される。
【００９０】
ステップＳ２５において、表示制御部１５３は、遠隔操作器１２１または１２３が操作されて、何らかのコマンドが入力されたか否かを判定し、遠隔操作器１２１または１２３が操作されることによる遠隔操作器１２１または１２３からのコマンドがある場合、処理は、ステップＳ２６に進む。
【００９１】
ステップＳ２６において、制御部１３３は、遠隔操作器１２１または１２３が操作されることにより入力されたコマンドに対応する処理を実行する。尚、ステップＳ２５において、遠隔操作器１２１または１２３が操作されず、コマンドの入力がない場合、ステップＳ２６の処理がスキップされる。
【００９２】
ステップＳ２７において、制御部１３３は、操作部１３２、または、遠隔操作器１２１もしくは１２３が操作されて、動作の終了が指示されたか否かを判定し、終了が指示された場合、動作を終了する。また、動作の終了が指示されない場合、処理は、ステップＳ１２に戻る。
【００９３】
また、ステップＳ２９，Ｓ２６のいずれかにおいて録画が開始された場合、ステップＳ２５乃至Ｓ２７の処理の後、ステップＳ１２，Ｓ１６，Ｓ１７の処理がなされると、処理は、ステップＳ１８に戻る。このとき、ステップＳ１８においては、録画中であるものとみなされるので、処理は、ステップＳ１９に進む。
【００９４】
ステップＳ１９（図６）において、制御部１３３は、警告すべき異常が発生しているか否かを判定する。ここで、ステップＳ１９において、異常の発生がないとみなされた場合、処理は、ステップＳ２０に進む。
【００９５】
ステップＳ２０において、表示制御部１５３は、表示部６１がオフにされて消灯状態にされているか否かを判定し、消灯状態にされていない場合、処理は、ステップＳ２１に進む。
【００９６】
ステップＳ２１において、表示制御部１５３は、図示しない表示部６１の表示を消灯状態にさせるか否かを判定するための停止カウンタを所定値だけインクリメントしてカウントアップする。
【００９７】
ステップＳ２２（図７）において、表示制御部１５３は、停止カウンタが所定値よりも大きく、録画が開始されて、かつ、操作部１３２が操作されない状態が所定時間より長く経過しているか否かを判定し、所定時間より長く経過していない場合、処理は、ステップＳ３１に進む。
【００９８】
ステップＳ３１において、表示制御部１５３は、操作部１３２が操作されたか否か、すなわち、操作されることにより、何らかのコマンドが入力されたか否かを判定し、操作されず、コマンドが入力されない場合、処理は、ステップＳ３０に進み、表示部６１をオンにして表示状態とし、処理は、ステップＳ２５に進む。
【００９９】
すなわち、録画が開始されてから、停止カウンタによりカウントされる所定時間が経過するまでは、ステップＳ１２，Ｓ１６乃至Ｓ２２，Ｓ３１，Ｓ３０，Ｓ２５乃至Ｓ２７の処理が繰り返されて、停止カウンタのカウントがカウントアップされ続ける。そして、ステップＳ２２（図７）において、停止カウンタの値が所定値よりも大きく、録画が開始されて、かつ、操作部１３２が操作されない状態が、所定時間以上経過しているとみなされた場合、処理は、ステップＳ２３に進む。
【０１００】
ステップＳ２３において、表示制御部１５３は、表示部６１をオフにして消灯状態とし、処理は、ステップＳ２４に進む。
【０１０１】
すなわち、この処理により、図８の右部で示されるように、表示部６１がオフにされて、表示部６１が消灯状態にされる。ただし、この場合でも、外部機器である表示装置１２２には、記録制御部１５４より供給される、撮像部１３１により撮影された画像が表示され、さらに、図８の右部のタリーランプ６２’で示されるように、タリーランプ６２は、録画中であることを示す点灯状態に制御される。
【０１０２】
ステップＳ２４において、制御部１３３は、操作部１３２が操作されたか否かを判定し、すなわち、操作されて、なんらかのコマンドが入力されたか否かを判定し、操作が検出されず、コマンドが入力されない場、処理は、ステップＳ２５に進む。
【０１０３】
また、以降において、録画が継続されて、コマンドの入力がなく、かつ、警告すべき表示がない状態が継続すると、表示部６１は消灯状態のままとされるので、ステップＳ２０（図６）において、表示部６１は、消灯状態であるものとみなされ、ステップＳ２１乃至Ｓ２３の処理がスキップされる。
【０１０４】
すなわち、ステップＳ１２，Ｓ１６乃至Ｓ２０，Ｓ２４乃至Ｓ２７の処理が繰り返されることで、図８の右部の状態が継続される。
【０１０５】
ここで、例えば、ステップＳ２５において、遠隔操作器１２１または１２３が操作されて、例えば、録画を停止するコマンドが入力されると、ステップＳ２６の処理により、録画が停止される。
【０１０６】
すると、ステップＳ１８において、録画中ではないものとみなされるので、処理は、ステップＳ２８に進む。
【０１０７】
すなわち、この場合、ステップＳ１２，Ｓ１６乃至Ｓ１８，Ｓ２８，Ｓ２９（ただし、Ｓ２８でＹｅｓの場合のみ），Ｓ３０，Ｓ２５乃至Ｓ２７の処理となるため、図８の左部で示されるように、録画が停止されることで、タリーランプ６２が消灯状態とされ、必ずステップＳ３０の処理を含むことになるので、表示部６１が表示状態とされる。また、ステップＳ１７の処理により、外部機器である表示装置１２２には、記録制御部１５４より供給される、撮像部１３１により撮影された画像が表示され続ける。
【０１０８】
さらに、ここで、例えば、ステップＳ２５において、遠隔操作器１２１または１２３が操作されて、例えば、再び録画を開始するコマンドが入力されると、ステップＳ２６の処理により、録画が開始される。
【０１０９】
すると、ステップＳ１８において、録画中であるものとみなされるので、処理は、ステップＳ１９に進む。このとき、警告すべき表示内容が無ければ、処理は、ステップＳ２０に進む。さらに、ステップＳ２０（図６）において、既に表示部６１は表示状態であるので、処理は、ステップＳ２１に進む。
【０１１０】
すなわち、この場合、ステップＳ１２，Ｓ１６乃至Ｓ２２，Ｓ３１，Ｓ３０，Ｓ２５乃至Ｓ２７の処理が繰り返されて、停止カウンタのカウントがカウントアップされ続ける。そして、ステップＳ２２（図７）において、停止カウンタの値が所定値よりも大きく、録画が開始されて、かつ、操作部１３２が操作されない状態が、所定時間以上経過しているとみなされた場合、処理は、ステップＳ２３に進む。
【０１１１】
ステップＳ２３において、表示制御部１５３は、表示部６１をオフにして消灯状態とし、処理は、ステップＳ２４に進む。
【０１１２】
すなわち、この処理により、図８の右部で示されるように、表示部６１がオフにされて、表示部６１が消灯状態にされる。ただし、この場合でも、外部機器である表示装置１２２には、記録制御部１５４より供給される、撮像部１３１により撮影された画像が表示され、さらに、図８の右部のタリーランプ６２’で示されるように、タリーランプ６２は、録画中であることを示す点灯状態に制御される。
【０１１３】
ここで、例えば、ステップＳ２４の処理において、操作部１３２が操作されて、何らかのコマンドが入力されると、処理は、ステップＳ３２に進む。
【０１１４】
ステップＳ３２において、制御部１３３は、操作部１３２が操作されることにより入力されたコマンドに対応する処理を実行し、さらに、停止カウンタを０にリセットし、処理は、ステップＳ３０に進む。ここで、例えば、録画の停止を指示するコマンドが入力された場合には、記録制御部１５４が、撮像部１３１により撮影された画像データの録画を停止する。
【０１１５】
録画が停止されると、制御部１３３は、タリーランプ６２を制御して、図８の左部で示されるように消灯状態に制御する。この場合、ステップＳ３０の処理により、表示部６１はオンとされて、表示状態にされるので、図８の左部で示されるように、表示部６１に撮影された画像が表示される。また、このときも、ステップＳ１７の処理により、外部機器である表示装置１２２には、記録制御部１５４より供給される、撮像部１３１により撮影された画像が表示され続ける。
【０１１６】
さらに、ここでは、停止カウンタがリセットされるため、例えば、ステップＳ３１の処理で、録画が開始されてから、表示部６１が消灯されるまでの期間に、操作部１３２が操作されると、その度、停止カウンタのリセットが繰り返される。結果として、録画が開始されていても、その後、操作部１３２が操作されるような場合には、操作部１３２が最後に操作されてから所定時間が経過するまでは、表示部６１の表示が継続されることになる。
【０１１７】
また、ステップＳ１９において、警告すべき表示内容があるとみなされると、処理は、ステップＳ３０に進み、表示部６１がオンにされて、表示状態とされることで、警告すべき情報が表示される。すなわち、この場合、ステップＳ１２，Ｓ１６乃至Ｓ１９，Ｓ３０，Ｓ２５乃至Ｓ２７の処理が繰り返されることになり、この場合、例えば、バッテリ１３７の残量が少ない、または、オーバーヒートといった異常が検出された場合、これらの情報が表示されると共に、撮像部１３１により撮影された動画像が表示される。
【０１１８】
以上の処理をまとめると、最初の処理で、録画が開始されるまでは、撮像部１３１により撮影された画像が、表示部６１および外部機器である表示装置１２２に表示され続ける。
【０１１９】
ここで、本体の操作部１３２、または遠隔操作器１２１もしくは１２３が操作されて、録画が指示されると、録画動作が開始され、録画が指示されて、かつ、操作部１３２が操作されない状態が所定時間だけ経過すると、表示部６１の表示が消灯状態に制御される。録画が開始されてから所定時間が経過するまでの期間においては、本体の操作部１３２が操作されて、録画に係る操作を含めた、何らかの操作が検出されると、その度に、停止カウンタがリセットされることになるので、操作部１３２が最後に操作されてから所定時間が経過するまでは、表示部６１はオンの表示状態とされ、操作部１３２が最後に操作されてから所定時間が経過すると表示部６１は消灯状態に制御される。
【０１２０】
さらに、表示部６１が消灯状態で遠隔操作器１２１または１２３の操作が検出された場合、録画中であるときには、制御部１３３は、検出された操作内容に対応するコマンドを実行するが、表示部６１をオンの表示状態にせず、消灯状態のままにする。ただし、検出された操作内容が録画を停止する操作がなされる場合、録画中ではなくなるので、このとき、表示部６１は表示状態に復帰する。
【０１２１】
また、バッテリ残量が少量である、または、オーバーヒートであるといった異常が検出された場合、表示部６１は、常にオンにされて表示状態となり、表示部６１には、異常が発生していることを示す情報が表示され続けることになる。尚、全ての異常が検出される場合に、消灯状態から表示状態に復帰するようにせず、例えば、検出される異常のうち、特定の種別の異常が発生した場合にのみ、例えば、緊急性の高い異常が発生した場合にのみ、消灯状態から表示状態に切り替えるようにしてもよい。
【０１２２】
結果として、録画が開始された以降は、あまり視聴されることのない表示部６１を、ユーザが意識することなく所定時間が経過すると消灯状態とすることができるので、消費電力を低減させることが可能となる。また、コンサートホールなどの暗い環境で撮影するような場合、表示部６１は必要最小限の点灯時間とすることで、周囲に目障りな光を放つことがないようにすることが可能となる。
【０１２３】
尚、以上においては、撮像装置１１から外部機器である表示装置１２２に、撮影した画像データを出力して表示する例について説明してきたが、外部機器である表示装置１２２を接続しない状態で使用しても、上述したステップＳ１７の処理がスキップされるのみであり、図８における表示装置１２２を除いた撮像装置１１のみの動作となるので、詳細な説明は省略するものとする。
【０１２４】
以上においては、撮像装置１１により動画像を撮影する場合の例について説明してきたが、上述した撮像処理は、動画像に限らず、様々な画像の撮像に適用するようにしてもよい。例えば、長時間露光の静止画の撮影や、所定の時間間隔で静止画からなる画像を繰り返し連続的に撮影する場合においても、上述した撮影処理は適用可能であり、同様の効果を奏することができる。
【０１２５】
また、以上においては、表示部６１は、表示状態、または、消灯状態のいずれかの状態に制御される例について説明してきたが、消灯状態に制御される場合については、消灯状態に代えて、明るさを低減させる、減光状態（例えば、３０％や５０％等の明るさの状態）に制御するようにしてもよい。さらには，経過時間に応じて、明るさを徐々に低減させるようにしてもよく、例えば、録画が開始されてから、操作部１３２において操作が受け付けられない状態が所定時間経過した場合、表示状態ではあるが５０％程度の明るさとし、さらに所定時間が経過した場合、表示状態ではあるが２０％程度の明るさとし、またさらに所定時間が経過した場合、完全消灯状態にするようにしても良い。
【０１２６】
また、以上においては、録画が開始された後、すなわち、録画の開始を示す操作が受け付けられた後、撮像装置１１の本体に設けられた操作部１３２が操作されない状態で所定時間が経過した場合、表示部６１が消灯状態とされ、撮像装置１１の本体における操作部１３２が操作される、または、録画が停止されるまで、表示部６１が表示状態に復帰しない例について説明してきた。
【０１２７】
しかしながら、遠隔操作部１２１，１２３のいずれかから録画を停止させる操作に対応するコマンドを受け付けた場合については、表示部６１の表示状態にさせず、消灯状態を維持し、本体の操作部１３２が操作されるまでは消灯状態を維持するようにしてもよい。
【０１２８】
また、録画動作以外の何らかの所定動作を指示する操作に対応するコマンドが受け付けられた後、操作部１３２が操作されることなく、所定時間経過した場合に、表示部６１を消灯状態にするようにしてもよい。
【０１２９】
例えば、操作部１３２の一部である撮像装置１１の電源ボタンが操作されて、電源がオンにされた後、撮像装置１１の本体の操作部１３２が操作されない状態で所定時間が経過した場合には、表示部６１が消灯状態に制御されるようにし、その後、操作部１３２が操作される場合に、表示部６１が表示状態に復帰されるようにしてもよい。また、同様に、各種の設定動作を指示するために操作部１３２が、任意の所定操作を受け付けた後、撮像装置１１の本体の操作部１３２が操作されない状態で所定時間が経過した場合に、表示部６１が消灯状態に制御されるようにし、その後、何らかの動作を指示する操作が操作部１３２により受け付けられた場合に、表示部６１が表示状態に復帰するようにしてもよい。いずれにおいても、省電力化を実現することが可能になると共に、コンサートホールなどの暗い場所において、周囲への目障りな光の発光を抑制することが可能となる。
【０１３０】
＜ソフトウェアにより実行させる例＞
ところで、上述した一連の処理は、ハードウェアにより実行させることもできるが、ソフトウェアにより実行させることもできる。一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば汎用のパーソナルコンピュータなどに、記録媒体からインストールされる。
【０１３１】
図９は、汎用のパーソナルコンピュータの構成例を示している。このパーソナルコンピュータは、CPU(Central Processing Unit)１００１を内蔵している。CPU１００１にはバス１００４を介して、入出力インタ-フェイス１００５が接続されている。バス１００４には、ROM(Read Only Memory)１００２およびRAM(Random Access Memory)１００３が接続されている。
【０１３２】
入出力インタ-フェイス１００５には、ユーザが操作コマンドを入力するキーボード、マウスなどの入力デバイスよりなる入力部１００６、処理操作画面や処理結果の画像を表示デバイスに出力する出力部１００７、プログラムや各種データを格納するハードディスクドライブなどよりなる記憶部１００８、LAN（Local Area Network）アダプタなどよりなり、インターネットに代表されるネットワークを介した通信処理を実行する通信部１００９が接続されている。また、磁気ディスク（フレキシブルディスクを含む）、光ディスク（CD-ROM(Compact Disc-Read Only Memory)、DVD(Digital Versatile Disc)を含む）、光磁気ディスク（ＭＤ(Mini Disc)を含む）、もしくは半導体メモリなどのリムーバブルメディア１０１１に対してデータを読み書きするドライブ１０１０が接続されている。
【０１３３】
CPU１００１は、ROM１００２に記憶されているプログラム、または磁気ディスク、光ディスク、光磁気ディスク、もしくは半導体メモリ等のリムーバブルメディア１０１１ら読み出されて記憶部１００８にインストールされ、記憶部１００８からRAM１００３にロードされたプログラムに従って各種の処理を実行する。RAM１００３にはまた、CPU１００１が各種の処理を実行する上において必要なデータなども適宜記憶される。
【０１３４】
以上のように構成されるコンピュータでは、CPU１００１が、例えば、記憶部１００８に記憶されているプログラムを、入出力インタフェース１００５及びバス１００４を介して、RAM１００３にロードして実行することにより、上述した一連の処理が行われる。
【０１３５】
コンピュータ（CPU１００１）が実行するプログラムは、例えば、パッケージメディア等としてのリムーバブルメディア１０１１に記録して提供することができる。また、プログラムは、ローカルエリアネットワーク、インターネット、デジタル衛星放送といった、有線または無線の伝送媒体を介して提供することができる。
【０１３６】
コンピュータでは、プログラムは、リムーバブルメディア１０１１をドライブ１０１０に装着することにより、入出力インタフェース１００５を介して、記憶部１００８にインストールすることができる。また、プログラムは、有線または無線の伝送媒体を介して、通信部１００９で受信し、記憶部１００８にインストールすることができる。その他、プログラムは、ROM１００２や記憶部１００８に、あらかじめインストールしておくことができる。
【０１３７】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０１３８】
尚、図１０におけるCPU１００１が、制御部１３３に、入力部１００６，出力部１００７が入出力端子１３６に、通信部１００９が通信部１３５にそれぞれ対応するものである。
【０１３９】
また、本明細書において、システムとは、複数の構成要素（装置、モジュール（部品）等）の集合を意味し、すべての構成要素が同一筐体中にあるか否かは問わない。したがって、別個の筐体に収納され、ネットワークを介して接続されている複数の装置、及び、１つの筐体の中に複数のモジュールが収納されている１つの装置は、いずれも、システムである。
【０１４０】
なお、本開示の実施の形態は、上述した実施の形態に限定されるものではなく、本開示の要旨を逸脱しない範囲において種々の変更が可能である。
【０１４１】
例えば、本開示は、１つの機能をネットワークを介して複数の装置で分担、共同して処理するクラウドコンピューティングの構成をとることができる。
【０１４２】
また、上述のフローチャートで説明した各ステップは、１つの装置で実行する他、複数の装置で分担して実行することができる。
【０１４３】
さらに、１つのステップに複数の処理が含まれる場合には、その１つのステップに含まれる複数の処理は、１つの装置で実行する他、複数の装置で分担して実行することができる。
【０１４４】
尚、本開示は、以下のような構成も取ることができる。
＜１＞  画像を撮像する撮像部と、
ユーザの操作を受け付けて、受け付けた操作内容に応じた動作を指示する操作部と、
撮像された前記画像の表示を制御する表示制御部と、
前記表示制御部は、所定動作の開始後、前記操作部に対する操作を検出しない状態で所定時間経過した場合、前記画像の表示を表示状態から消灯状態に制御する
撮像装置。
＜２＞  前記表示制御部は、前記所定動作としての録画動作の開始後、前記操作部に対する操作を受け付けない状態で所定時間経過した場合、前記画像の表示を表示状態から前記消灯状態に制御する
＜１＞に記載の撮像装置。
＜３＞  前記表示制御部は、前記画像を表示する前記表示状態から前記画像の表示を消灯する消灯状態に制御した後、前記録画動作が停止した場合、前記画像の表示を前記消灯状態から前記表示状態に制御する
＜２＞に記載の撮像装置。
＜４＞  前記表示制御部は、前記画像の表示を表示状態から消灯状態に制御した後、前記操作部により操作が受け付けられた場合、前記画像の表示を前記消灯状態から前記表示状態に制御する
＜３＞に記載の撮像装置。
＜５＞  装置本体の外部であって、ユーザの操作を受け付けて、受け付けた操作内容に応じた指示を信号として送信する遠隔操作部からの前記信号を受信する受信部をさらに含み、
前記表示制御部は、前記所定動作としての録画動作の開始後、前記操作部に対する操作を受け付けない状態で、かつ、前記受信部を介して、前記遠隔操作部からの前記信号を受信しない状態で所定時間経過した場合、前記画像の表示を表示状態から前記消灯状態に制御する
＜２＞に記載の撮像装置。
＜６＞  前記表示制御部は、前記画像の表示を表示状態から消灯状態に制御した後、前記受信部を介して、前記遠隔操作部からの信号を受信した場合でも、前記消灯状態を維持するように制御する
＜５＞に記載の撮像装置。
＜７＞  前記受信部は、前記遠隔操作部としてのリモートコマンダまたはスマートフォンに対する前記ユーザの操作内容に応じた、前記リモートコマンダまたは前記スマートフォンからの指示を受信する
＜５＞に記載の撮像装置。
＜８＞  前記撮像部により撮像された画像を外部に接続された外部機器に常時出力する入出力部をさらに含む
＜２＞乃至＜７＞のいずれかに記載の撮像装置。
＜９＞  前記入出力部は、前記外部機器の外部であって、ユーザの操作を受け付けて、受け付けた操作内容に応じた指示を信号として送信する遠隔操作部からの信号の、前記外部機器を介した入力を受け付け、
前記表示制御部は、所定動作の開始後、前記操作部に対する操作を受け付けない状態で、かつ、前記入出力部を介して、前記遠隔操作部に対する操作を受け付けない状態で所定時間経過した場合、前記画像の表示を表示状態から消灯状態に制御する
＜８＞に記載の撮像装置。
＜１０＞  前記表示制御部は、前記画像の表示を表示状態から消灯状態に制御した後、前記入出力部を介して、前記遠隔操作部からの信号を受け付けても、前記消灯状態を維持するように制御する
＜９＞に記載の撮像装置。
＜１１＞  前記外部機器は、前記撮像部により撮像された画像を表示する表示装置である
＜８＞に記載の撮像装置。
＜１２＞  前記所定動作は、録画動作、電源オン動作、または、各種の設定動作である
＜１＞乃至＜１１＞のいずれかに記載の撮像装置。
＜１３＞  異常の発生を検出する異常検出部をさらに含み、
前記異常検出部により異常が検出される場合、前記表示制御部は、前記画像の表示を前記表示状態に制御する
請求項１乃至１２のいずれかに記載の撮像装置。
＜１４＞  前記撮像部の撮像に係る設定をする設定部をさらに含み、
前記設定部により前記撮像部の撮像に係る設定が完了している条件下で、前記表示制御部は、所定動作の開始後、前記操作部に対する操作を受け付けない状態で所定時間経過した場合、前記画像の表示を表示状態から消灯状態に制御する
請求項１乃至１３のいずれかに記載の撮像装置。
＜１５＞  画像を撮像し、
ユーザの操作を受け付けて、受け付けた操作内容に応じた動作を指示し、
撮像された前記画像の表示を制御するステップを含み、
所定動作の開始後、前記操作部に対する操作を検出しない状態で所定時間経過した場合、前記画像の表示を表示状態から消灯状態に制御する
撮像方法。
＜１６＞  画像を撮像する撮像部と、
ユーザの操作を受け付けて、受け付けた操作内容に応じた動作を指示する操作部と、
撮像された前記画像の表示を制御する表示制御部としてコンピュータを機能させるためのプログラムであって、
前記表示制御部は、所定動作の開始後、前記操作部に対する操作を検出しない状態で所定時間経過した場合、前記画像の表示を表示状態から消灯状態に制御する
プログラム。
【符号の説明】
【０１４５】
１１  撮像装置，  ２３  タリーランプ，  ６１  表示部，  ６２  タリーランプ，  １２１  遠隔操作器，  １２２  表示装置（外部機器），  １２３  外部機器用遠隔操作器，  １３１  撮像部，  １３２  操作部，  １３３  制御部，  １３４  リムーバブル記録媒体，  １３５  通信部，  １３６  入出力端子，  １３７  バッテリ，  １５１  設定部，  １５２  OSD画像生成部，  １５３  表示制御部，  １５４  記録制御部
【図１】
2018067885.tif 000003
【図２】
2018067885.tif 000004
【図３】
2018067885.tif 000005
【図４】
2018067885.tif 000006
【図５】
2018067885.tif 000007
【図６】
2018067885.tif 000008
【図７】
2018067885.tif 000009
【図８】
2018067885.tif 000010
【図９】
2018067885.tif 000011